Podtech/llm-jp-corpus-v4-ja_patent huggingface dataset:
(57)【要約】【課題】  我々がコンピュータ上で取り扱わなければならない情報は膨大な量に上っている。情報は量が多いだけでなく多種多様な分野に及んでおり、データベースアプリケーションを利用しないまでもこれを整理するためにフォルダによる仕分けを行っているユーザーは多い。しかし、詳細な分類分けを行うとフォルダの階層が深くなってしまい、逆に必要とする時に目的のフォルダまで辿り着くのが億劫になってしまうという矛盾を内包しており、操作系の改善が求められていた。【解決手段】  本発明は、ユーザーが着目しているフォルダ及びファイルへの「場所法（ｍｅｔｈｏｄ  ｏｆ  ｌｏｃｉ）」を用いて、実ファイル、実フォルダを参照するエイリアスをマップの特徴点にユーザーが配置し、後日連想記憶によって感覚的に目的のファイル、フォルダのエイリアスを見つけ出し、これを開くことを助ける技術を提供する。【選択図】図１
2007272850.tif 000002
【特許請求の範囲】
【請求項１】
コンピュータのファイルシステム上の任意のフォルダ、ファイルのエイリアスを作成し、そのエイリアスを地図画像を含めた任意の画像（マップ）の任意の特徴点上に配置することができることを特徴とする連想記憶型ファイル呼び出し方法及び装置。
【請求項２】
請求項１のフォルダ呼び出し方法及び装置では、自由にマップ表示の拡大縮小、縦横スクロール、３Ｄ表示が可能で、配置された特定のエイリアスを連想記憶によって見つけ出し、そこから実フォルダまたは別のエイリアスを表示させることを特徴とする連想記憶型ファイル呼び出し方法及び装置。
【発明の詳細な説明】
【技術分野】
【０００１】  本発明は、ユーザーが着目しているフォルダ及びファイルへの「場所法（ｍｅｔｈｏｄ  ｏｆ  ｌｏｃｉ）」を用いた効率的な到達方法に関するものである。
【背景技術】
【０００２】  我々がコンピュータ上で取り扱わなければならない情報は膨大な量に上っている。情報は量が多いだけでなく多種多様な分野に及んでおり、データベースアプリケーションを利用しないまでもこれを整理するためにフォルダによる仕分けを行っているユーザーは多い。しかし、詳細な分類分けを行うとフォルダの階層が深くなってしまい、逆に必要とする時に目的のフォルダまで辿り着くのが億劫になってしまうという矛盾を内包している。
【発明の開示】
【発明が解消しようとする課題】
【０００３】  現在のコンピュータＯＳ（オペレーティングシステム）上でのデータファイルの恣意的なグループ分けの手法として階層的なフォルダによる分類が一般的である。また、全体の階層構造を表示するための手段としてはツリー型表示が利用されているが、これは全てのファイルをあまねく、系統も含めて整理保存するのには適した方法であるが、幾つかの着目しているフォルダに対してデータファイルを出し入れしようと考えると、全てのデータファイル、フォルダがツリー型表示で差別されることなく並べられているが故に、最終的な識別の手段としてツリー内でフォルダ名を読み、解釈しながら目的とするフォルダに到達するしかなく作業効率が悪いという問題が生じていた。また、ツリー型表示を使わずフォルダの階層をフォルダのオープンによって目的とするフォルダに移動する場合でも、外人墓地の墓石のように理路整然と並べられたアイコンには特徴はないので、やはりフォルダ名を読み、解釈しながら目的の場所まで到達する必要がある。これらの煩雑さを解決するためにエイリアス（またはショートカット）と呼ばれる機能を利用して利用頻度の高いフォルダ・ファイルに対しては到達経路の近道を行う方法等が取られるが、複数の重要なエイリアスが出来てしまってこれらが並べられている状況では、特徴のない整列されたエイリアスアイコンの中から目的のエイリアスを探すという方式的な問題は依然残ったままで、ストレスのない操作感覚を得るためにこれらの煩雑な作業を改善する必要があった。
【課題を解決するための手段】
【０００４】  本発明は、系列記憶の手助けとなる記憶術の一つである「場所法（ｍｅｔｈｏｄ  ｏｆ  ｌｏｃｉ）」を応用したもので、ユーザーが恣意的に、マップ上の特徴点とデータ自身又はデータの入れられたフォルダを関連付けることによって、直感的に目的とするデータ自身又はデータの入れられたフォルダにストレスなくアクセスすることを特徴とするものである。
【０００５】  本発明における、請求項１の連想記憶を利用したファイル呼び出し方法及び装置は、コンピュータのファイルシステム上の任意のフォルダ、ファイルのエイリアスを作成し、そのエイリアスを地図画像を含めた任意の画像（マップ）の任意の特徴点上に関連付けて配置することができることを特徴とするものである。
【０００６】  本発明における、請求項２の連想記憶を利用したファイル呼び出し方法及び装置は、自由にマップ表示の拡大縮小、縦横スクロール、３Ｄ表示が可能で、配置された特定のエイリアスを連想記憶によって認知し、そこからエイリアスの参照先である実フォルダまたは別のエイリアスを表示させることを特徴とするものである。
【発明の効果】
【０００７】  フォルダ内では、子供フォルダやデータファイルのアイコンは、外人墓地の墓石のように理路整然と並べられ、表示されている。フォルダ移動の煩雑さを避けるために作業中のフォルダのエイリアスをどこかに置いておいたとしてもエイリアスが複数あれば同じ問題が生じてくる。これは、フォルダが、フォルダやデータファイルの論理的な入れ物でしかなく、それ以外の付加情報を認知の効率化に為に利用できないことによるのである。
【０００８】  本発明は、人間の心理的な側面に着目してユーザーの認知しているマップ上に位置情報を伴った形でフォルダやデータファイルのエイリアスを配置し、マップ情報との対応関係で連想記憶により目的のエイリアスを迅速に見つけ出す作業において真価を発揮するものである。
【発明を実施するための最良の形態】
【０００９】  以下、本発明の実施形態を、図１に基づいて説明する。【００１０】  本発明は、単独もしくはネットワーク上のアプリケーションとして動作するもので、ディスク上、またはネットワーク上（１）にあるフォルダ及び各種データ（２：プロジェクトＡ）をエイリアスとしてマップ上の任意の場所にドラッグ＆ドロップ（３）で登録（４）することができる。【００１１】  マップ表示は、ズーム（５）、縦横スクロール（６）、回転、３Ｄ表示等が可能であるが、登録されたエイリアス（４）は配置後もマップ上の任意の位置に再配置ができる。【００１２】  ユーザーが、後日「プロジェクトＡ」にアクセスする必要が出来た時に、本発明の装置を起動し背景のマップ情報との対応関係で記憶されたエイリアスをダブルクリック（７）、参照先の実フォルダである「プロジェクトＡ」を開く（８）ものである。
【図面の簡単な説明】
【００１３】
【図１】本発明の概念図。
【図１】
2007272850.tif 000003
(57)【要約】【課題】  車いすや椅子に座っている時、上着の脇ポケットやズボンのポケットから鍵やカード類、ハンカチ等小物が取り出しにくい。【解決手段】  首巻きの端にポケットを付けることにより、小物を入れることができる。二重部分を通して交差させることにより、ポケットが胸の前にきてポケット口が斜めになり、ポケットに入れた小物の出し入れがしやすい。【選択図】図１
2007321325.tif 000002
【特許請求の範囲】
【請求項１】
小物を入れるポケットを付けた首巻き
【請求項２】
首巻きに二重部分を作り、一方を通すことにより脱落しにくいもの
【発明の詳細な説明】
【技術分野】
【０００１】  この発明は、健常者、障害者を問わず、利用できるポケット付き首巻きである。
ポケット口の上部に二重の部分を作り、もう一方の端を首に巻き、胸の前で交差させてそれを通すことにより、首巻きが脱落しにくい。また、ポケットの位置が身体の前にきてポケット口が斜めになる。
巻き方の左右を変えることにより、不自由な手の左右を問わず小物を簡単に出し入れできる。
【背景技術】
【０００２】  首巻きにもいろいろな種類があるが、従来の首巻きより長さが短くて装着しやすく脱落しにくい。【０００３】  防寒用のみならず、素材を換えることによって季節を問わず使用できる。
【特許文献】特開  １９９８−１４０４１０号広報
【特許文献】特開  ２００６−００９１９１号広報
【発明の開示】
【発明が解決しようとする課題】
【０００４】  車いすや椅子に座っている時、上着の脇ポケットやズボンのポケットからポケットティッシュ、ハンカチ等小物が取り出しにくい。
【課題を解決するための手段】
【０００５】  首巻きの一方の端にポケットをつけています。
【発明の効果】
【０００６】  簡単に取り出せるので、小物を忘れたりせずに行動ができる。【０００７】  不自由な手が左右どちらでも、簡単に小物を取り出せる。【０００８】  洋服の胸や、脇おポケットから小物を取り出すよりも、この首巻きのポケットの方が取り出しやすい。
【発明を実施するための最良の形態】
【０００９】  ポケットは、首巻きの一方の端に作り、いずれの素材も表面に縫い付けて作るのではなく、箱ポケットに作られているのでデザイン的に優れている。
一方の端を通す二重にした部分は、ポケットを付けた方に作る。
【実施例】
【００１０】  図１の首巻きの一方の端４にポケットをつけ、もう一方の端１を２に通し胸の前で交差させる。それにより、ポケット口３が斜めになりポケットに入れた小物の出し入れがしやすくなる。
【図面の簡単な説明】
【００１１】
【図１】本発明の実施形態である首巻きの平面図
【図２】着用した状態の図
【符号の説明】
【００１２】    １  首に巻き付ける部分
２  二重になった部分
３  ポケット口
４  ポケット
【図１】
2007321325.tif 000003
【図２】
2007321325.tif 000004
(57)【要約】【課題】  皮手袋と言う作業性を失わず、新たな小物入れとしてのファッション性を、兼ね備えた作業用手袋を提供することである。【解決手段】  皮手袋の内側に袋体（２）を配置し、当該底部にファスナー（３）を縫着し、他のもう一方を手袋（１）の略口部に縫着し、更に手袋の略口部にファスナー（４）と、貫通した止め穴（５）を設けたものである。【選択図】図１
2007321327.tif 000002
【特許請求の範囲】
【請求項１】
皮手袋の内側に袋体（２）を配置し、当該底部にファスナー（３）を縫着し、他のもう一方の端部を手袋（１）の略口部に縫着し、更に手袋の略口部にファスナー（４）と、貫通した止め穴（５）を設けた事を特徴とする小物入れと併用できる皮手袋。
【発明の詳細な説明】
【技術分野】
【０００１】  皮手袋に関する物であり、特に作業用の皮手袋を、小物入れとして利用する方法を、現在の若者のファッション感覚に注目して考えたものである。
【背景技術】
【０００２】  ブルージーンズが労働者の作業服であった事は有名である。この作業性を重視して、丈夫なテントの生地を使用したのがジーンズであり、現在の若者のファッションにも大きな影響を与えている。【０００３】  そこで、本発明者は、作業用の皮手袋を利用して、新たなファション性のある小物入れを開発しようと考えたのである。
【発明が解決しょうとする課題】
【０００４】  本発明は、このような問題点を鑑みてなされたものであり、皮手袋と言う作業性を失わず、新たな小物入れとしてのファッション性を、兼ね備えた作業用手袋を提供することである。
【課題を解決するための手段】
【０００５】  皮手袋の内側に袋体（２）を配置し、当該底部にファスナー（３）を縫着し、他のもう一方の端部を手袋（１）の略口部に縫着し、更に手袋の略口部にファスナー（４）と、貫通した止め穴（５）を設けたものである。
【発明を実施するための最良の形態】
【０００６】  作業用の皮手袋には、皮製の生地で縫製したものであり、通常の手袋に比べて、比較的大きなサイズであり、且つ丈夫な縫製作業で、できているのが特徴であり、この手袋の口部付近で円形のアルミニュームの口金を止め穴５に固着したものである。【０００７】  袋体２には、財布・携帯電話・小銭等を入れることができ、四角形やＵ字形状の底部をファスナー３で縫着したものであり、もう一方の端部を手袋１の内側の口部で縫着したものである。
【発明の効果】
【０００８】  本発明の袋体２を手袋の中から引き出し、ファスナー３を開き、手を入れると、袋体２が手甲となり、リストバンドの様に汗を拭き取り、又手首の動脈をまもる為や、袖が引っ掛かる事を防ぐ為にも使用できる。更に、作業以外の場合には、小物入れとしてのファッション性を兼ね備えた作業用手袋を提供することができる。
【００１３】  以下、図面を参照して、この発明の好適な実施例を例示的に詳しく説明する。ただし、この実施例に記載されている構成方法、構成装置、構成内容、構成部品の寸法、材質、形状、その相対配置などは、特に特定的な記載がないかぎりは、この発明の範囲をそれらのみに限定する趣旨のものでなく単なる説明例にすぎない。
【実施例１】
【００１４】  まず、小物入れとしての説明を図２でする。
手袋の口部に設けたファスナー４を開ける事で、袋体２が小物入れの袋となり、更に、小銭等の小さな物品が、手袋の指部に入らないように、袋体２の底部には、ファスナー３で閉じられている。例として図示（携帯電話）するが、その他・財布・小銭・メガネ等を入れる事ができファスナー４で閉じることで、小物の落下を防ぐ事ができる。【００１５】  手袋の取り付を図３で説明すると、手袋の口部付近に設けた、止め穴５にアルミニュームの口金を取付け、左右の手袋に止具６を通して、衣類の一部であるズボン等に着脱できるようにしたものである。【００１６】  次に、実用性を重視する作業時には、袋体２を取り出し、底部にあるファスナー３を開き左右の手に装着する。この様に、人体に装着すると、袋体２が手首の動脈を守る手甲や、汗を拭くリストバンドにも利用でき、作業の安全性にも貢献するものである。
【図面の簡単な説明】
【００１７】
【図１】本発明の実施例１の説明図である。
【図２】本発明の実施例１の説明図である。
【図３】本発明の実施例１の説明図である。
【符号の説明】
【００１８】  １・・皮手袋
２・・袋体
３・・ファスナー
４・・ファスナー
５・・止め穴
６・・止具
【図１】
2007321327.tif 000003
【図２】
2007321327.tif 000004
【図３】
2007321327.tif 000005
(57)【要約】      （修正有）【課題】レールの継ぎ目で音と振動が出ないレールを提供する。【解決手段】レール１，１の端部を約４５°斜めに角度を設けて切断し、これらを互いに重ね合わせ、継ぎ板３で挟み込んでを締付ボルト４で締め付けて組み立てる。【選択図】図２
2007321553.tif 000002
【特許請求の範囲】
【請求項１】
レールの両端に４５°位（レールの形により多少変わる）、斜めに角度を設けて、切断したレールと継ぎ板を締付ボルトで組み立てたレール。
【発明の詳細な説明】
【技術分野】
【０００１】  本発明はレールの長さの両端に４５°位（レールの形により多少変わる）、斜めに角度を設けて、切断したレールと継ぎ板を締付ボルトで組み立てたレールの継ぎ目で音と振動が出ないように工夫したレールに関するものである。
【背景技術】
【０００２】  従来は、振動が出ないように工夫したロングレールがあった。
【発明の開示】
【発明が解決しようとする課題】
【０００３】  そのためには、つぎのような問題がある
（イ）ロングレールにはレールとレールを溶接し、継ぐのが面倒であった。
（ロ）ロングレールとロングレールを継ぐには、長いジョイントが必要であった。
（ハ）ロングレール解体には溶断する面道があった。
本発明は、この問題を解決するためになされたものである。
【課題を解決するための手段】
【０００４】  レールの両端に４５°位（レールの形により多少変わる）、同方向に斜に切断して、従来通り調整隙間を約６ｍｍ位あけて、従来通り継目板締付ボルトで組み立てる。
【発明の効果】
【０００５】  レールを製作するとき、レールの両端に同方向に斜に約４５°位（レールの形により多少変わる）で切断して組み立ててある。
そのため、レールの継目が車輪とレールの接線が一致しない。
その結果、レールの継ぎ目特有のコトンという音と振動が発生しない。
【発明を実施するための最良の形態】
【０００６】  以下、本発明の実施の形態について説明する
（イ）斜に４５°（レール形態により角度が変わる）位に両端に同方向に切断したレール    である。
（ロ）調整隙間約６ｍｍ位付ける。
（ハ）継ぎ目板２枚と締付ボルトで組み立てる。
（ニ）車輪とレールの接線が一致しないため従来のレールの様なコトンという音と振動が    発生しない。
本発明は以上のような構成である。
本発明を使うときは、レールの両端に４５°位（レールの形により多少変わる）、同方向に斜に切断した、レールを従来通り調整隙間を約６ｍｍ位あけて、従来通り継目板締付ボルトで組み立てる。
【図面の簡単な説明】
【０００７】
【図１】本発明の約４５°に切断したレール平面図である。
【図２】本発明の標準の継ぎ目板と締付ボルトで組み立てた状態の説明図である。
【符号の説明】
１  ４５°斜に切ったレール
２  調整隙間
３  継ぎ目板
４  締付ボルト
【図１】
2007321553.tif 000003
【図２】
2007321553.tif 000004
(57)【要約】 【課題】  車止め装置は、強固に固定しないと駐車面から取れてしまうし、強固に固定してある場合は、位置を移動するとき取り外し取り付けが大変であった。【解決手段】  底部に数箇所固定部材を取り付け三角形にした車止め部と車止め部から駐車車輌側に突出した支持部材からなり、車止め部１と支持部材３を1枚の金属性の平板を屈曲して成型し、タイヤが支持部材に載ることにより自重の重さで床面との摩擦抵抗が増加し車止めが移動しなくなり、車止め部を強固に固定する必要がないので取り易く、目的に合った位置に移動できることを特徴とする。【選択図】  図１
2007321514.tif 000002
【特許請求の範囲】
【請求項１】
駐車場等の床面に載置して使用する車止めにおいて、車止め部１は三角形に屈曲して形成され、車止め部１の底部数箇所をフラットバーの固定部材２で補強し、支持部材３が車止め部１から駐車車輌側に突出し、車止め部１の三角形の屈曲角を鋭角にしたことを特徴とする駐車場の車止め装置。
【請求項２】
車止め部１と支持部材３を1枚の金属性の平板を屈曲して成型したことを特徴とする請求項１記載の駐車場の車止め装置。
【請求項３】
車止め部１にＬ字鋼を使用し、支持部材３に金属製の平板を使用して、車止め部１を支持部材３に乗せ溶接して一体に形成し、表面に凸部を具備していることを特徴とする請求項１記載の駐車場の車止め装置。
【請求項４】
車止め部１は三角形や台形の形をした木材や集成材・合板を使用し、支持部材３は木材や集成材・合板の平板を使用して、車止め部と支持部材とを接着又はネジ止めで接合して一体に形成したことを特徴とする請求項１記載の駐車場の車止め装置。
【発明の詳細な説明】
【技術分野】
【０００１】
本発明は、設置した車止めが容易に移動しない車止めに関するものである。
【背景技術】
【０００２】
従来の車止めには、個別に形成されたものを組み合わせて一体としたものがある。
【特許文献１】特願平７−３４５９００
【発明の開示】
【発明が解決しようとする課題】
【０００３】
これには、次のような欠点があった。車輌の自重が車止め部に掛かりタイヤが繰返し当接し車止め部３に当接すると、車止め部を押し広げようとする力が作用することになり、潰れないようにしっかり車止めの前後を止め具で床面と固定しておかなければならない。
【課題を解決するための手段】
【０００４】
上記欠点を解決するために、本体の形を三角形とした車止め部底部を数箇所補強し、止め具不要で本体を押し広げようとする力に対応したことを主な特徴としている。
【発明の効果】
【０００５】
本発明は、底部を数箇所で補強し三角形をした車止め部と車止め部から駐車車輌側に突出し、駐車車輌のタイヤを車止め部に接近させ、タイヤが上面側に載置された際自重で床面と支持部材との間に大きな摩擦抵抗が発生し車止めが滑って移動することがない。よって強力にアンカーボルト等で固定する必要がなく、アンカーボルトが使用できない場所にも設置可能であり、コンクリート製品より軽く持ち運びやすく、接着剤で固定しても外れにくく、床面に設置しやすく、コストが安価で経済的である。
【発明を実施するための最良の形態】
【０００６】
１  金属製縞鋼板平板の端を図１の様に三角形に折り曲げた車止め部１と平板の車輪乗上げ用支持部材３を設ける。
２  車止め部である三角形を変形させない様に数個の固定部材２を溶接し固定する。
３  平板の車輪乗上げ用支持部材３には、アンカーボルト等を通し固定するため穴を４ヶ所開ける。
【実施例】
【０００７】
図１は本考案の車止めの斜視図を示し、車止め部１は、三角形に折り曲げた縞鋼鈑を主材とし、その全体形状は、約60度の三角形であると共に変形しないようにフラットバーである補助固定部材２を溶接し固定する。同三角部には、駐車車輌側に突出する平板状の縞鋼鈑支持部材３を備えている。タイヤを車止め部１に接近させ、タイヤが支持部材上に載った際には、支持部材３は、駐車車輌の自重で駐車床面に押付けられるようになっている。車止め部１にタイヤが当接すると、支持部材３と車止め部１を引き離そうとする力が作用することになるが、一体構造になっている為離れることはない。支持部材３を駐車車輌の自重で駐車床面に押付けるようにしているので、床面と車止めの間に生じる摩擦力が増し車止め自体も移動しにくくなる。
【０００８】
上記駐車車輌側に突出する平板状の縞鋼鈑支持部材３には、凸部が付いており滑り止めの役目をする。
又、車止めをアンカーボルト等で移動しない様に固定する為の穴４を４ヶ所開ける。車止め部を床面５に固定するには、接着剤を路面と支持部材裏面に塗り押し当てて設置する方法又アンカーボルト用穴にアンカーボルトを通し路面に設置することが出来る。又は接着剤やボルトで固定していなくても一体構造になっている為車を停止させることができる。そして、接着剤やボルトで固定しない場合は、車止めを簡単に移動することが可能であり、不用の際には撤去することができる。そして大きさ等の異なる車種に応じて車止めの位置を変えることができ、限られた場所を有効に利用できる。
【図面の簡単な説明】
【０００９】
【図１】本発明を示した斜視図である。
【図２】本発明の平面図
【図３】本発明の側面図
【図４】本発明の正面図
【符号の説明】
【００１０】
１  車止め部
２  固定部材
３  タイヤを載せる支持部材
４  アンカーボルト用穴
【図１】
2007321514.tif 000003
【図２】
2007321514.tif 000004
【図３】
2007321514.tif 000005
【図４】
2007321514.tif 000006
(57)【要約】【課題】  本発明は、一般の窓ガラスを簡易的に二重ガラス構造化し、冬季などに発生する結露の防止をはかる。【解決手段】  本発明は、凹凸状に成型加工した結露防止板１のフランジ２四辺を、窓ガラス５に空気層６の空間ができる形態に、接着剤４などで貼説する。【選択図】図１
2007321548.tif 000002
【特許請求の範囲】
【請求項１】
プラスチック樹脂板などを、凹凸状に成形した結露防止板のフランジ四辺を、剥離の容易な接着剤などで窓ガラスに貼設する。その際、凸部によって形成される空気層の断熱効果で窓ガラスの結露を防止すること、を特徴とする窓ガラス用結露防止板。
【請求項２】
請求項１と同様の結露防止板に、フランジ四辺と同じ深さに縦横数本の溝を設け、該結露防止板を窓ガラスの大きさに合わせて切断しても、該溝が空気層を形成して結露を防止し、様々な大きさの窓ガラスに対応できるようにしたことを特徴とする、サイズフリーの窓ガラス用結露防止板。
【請求項３】
請求項１と同様に成形した結露防止板の中心部に貼設用凹部を設け、該凹部を剥離の容易な接着剤などで窓ガラスに貼設することでフランジ部が窓ガラスに押しつけられ、その押圧力が中空の空気層を形成し、請求項１の結露防止板に近似した断熱性で結露防止効果を得るとともに、取り外しも容易にしたことを特徴とする窓ガラス用結露防止板。
【発明の詳細な説明】
【技術分野】
【０００１】  本発明は、一般家屋の窓ガラスを簡易的に二重ガラス構造化し、該窓ガラスに発生する結露の防止に関するものである。
【背景技術】
【０００２】  従来は頻繁に拭き取るか、吸い取り用の布や中空状のシートを張るなどで対応していたが、吸い取り用の布はカビが生えるなどの問題点があり、中空状のシートは透明感が悪く景観も良くなかった。
【発明の開示】
【発明が解決しようとする課題】
【０００３】  本発明は、一般家屋の窓ガラスを簡易的に二重ガラス構造化して結露を防止し、さらに景観も良くして、前述の問題点を解消しようとするものである。
【課題を解決するための手段】
【０００４】  本発明は、透明感のあるプラスチック樹脂板などを凹凸状に成形加工し、そのフランジ四辺を窓ガラス面に密着させ、その際凸部によって形成される空間が二重ガラス構造と同様になり、結果的に結露を防止し、前述の問題点を解決することができる。
【発明の効果】
【０００５】  前述のように成形した結露防止板を、一般家屋の窓ガラスに貼設することで結露を防止でき、かつ、景観も良く、夏季は冷房効率の向上も期待できる。
【発明を実施するための最良の形態】
【０００６】  本発明の目的を達成するために、簡易二重ガラス構造を形成する結露防止板の実施の形態を、添付した図面を参照して説明する。
【実施例１】
【０００７】  図１に示すように、結露防止板１のフランジ２四辺を、剥離の容易な接着剤４などで窓ガラス５に貼設し、その際形成される空気層６の断熱効果で結露を防止する。
【実施例２】
【０００８】  図３に示すように、結露防止板１の凸部分に縦横数本の溝３を設け、窓ガラス５の大きさに合わせたサイズに切断しても空気層６を形成できるようにし、サイズフリーを可能としながら、前述と同様に結露を防止する。
【実施例３】
【０００９】  図５に示すように、結露防止板１の中心部に設けた貼設用凹部７を、剥離の容易な接着剤４などで窓ガラス５に貼設し、その際形成される空気層６が、前述と同様に結露を防止し、かつ、取り外しも容易にする。
【産業上の利用可能性】
【００１０】  窓ガラスの結露は景観上も悪く、放置するとカビ発生の原因になる。従来から、該結露の防止には様々な手法が用いられてきたが、二重ガラス構造が最も効果的である。しかしこれは高価で、結露防止のみの目的には用いられていないのが一般的である。そこで本発明は、一般の窓ガラスを簡易的に二重ガラス構造化し、該結露問題の改善をはかるものである。
【図面の簡単な説明】
【００１１】
【図１】本発明の四辺接着形態の縦断面図。
【図２】本発明の四辺接着形態の斜視図。
【図３】本発明の溝を設けた四辺接着形態の縦断面図。
【図４】本発明の溝を設けた四辺接着形態の斜視図。
【図５】本発明の中心部接着形態の縦断面図。
【図６】本発明の中心部接着形態の斜視図。
【符号の説明】
【００１２】１  結露防止板
２  フランジ
３  溝
４  接着剤
５  窓ガラス
６  空気層
７  貼設用凹部
【図１】
2007321548.tif 000003
【図２】
2007321548.tif 000004
【図３】
2007321548.tif 000005
【図４】
2007321548.tif 000006
【図５】
2007321548.tif 000007
【図６】
2007321548.tif 000008
(57)【要約】【課題】      木造建築の貫を使用した耐力壁にあって、貫構造のみでも充分強固で粘り強い耐力壁の構築方法の提供。【解決手段】  柱３に楔留めされた複数枚の横貫２に嵌め込んで楔留めされた複数枚の縦貫１を、横架材の貫通した貫穴に差込み楔留めされたことを特徴とする。【選択図】図１
2007321547.tif 000002
【特許請求の範囲】
【請求項１】
木造建築の貫構造にあって、柱に楔留めされた複数枚の横貫に嵌め込んで楔留めされた複数枚の縦貫を、横架材の貫通した貫穴に差込み楔留めされたことを特徴とする木組み構造。
【請求項２】
前記縦貫を土台に差込み楔留めする場合、基礎側から楔を差し込めないので、上方から捨て楔を落とし込んでから楔留めされたことを特徴とする請求項１記載の木組み構造。
【発明の詳細な説明】
【技術分野】
【０００１】  この発明は、木造建築の貫を使用した耐力壁にあって、水平外力に対する耐力を高める木組み構造に関する。
【背景技術】
【０００２】  従来の貫構造は実質的に貫を横にのみ使用し、柱との仕口部における木材のめり込み抵抗による柔軟で粘り強い耐力構造である。
【発明の開示】
【発明が解決しようとする課題】
【０００３】  上述のように、従来の貫構造は柱と貫との交差部でのみ水平耐力を保有するので、一般に貫の本数が３〜５本程度である耐力壁では、僅かな水平耐力しか得られないのが現状であった。このため、土塗壁や耐力面材の下支えという補助的な役割に甘んじていた。【０００４】  伝統的な木造建築を愛する人々からは、貫構造のみでも充分な水平耐力を持つことにより、より強固な粘り強い耐力壁を構築することが望まれていた。
【課題を解決するための手段】
【０００５】  上述の目的を達成する本発明の格子組貫構造は、柱に楔留めされた複数枚の横貫に嵌め込んで楔留めされた複数枚の縦貫を、横架材の貫通した貫穴に差込み楔留めされたことを特徴とする。【０００６】  一例として、前記縦貫を土台に差込み楔留めする場合、基礎側から楔を差し込めないので、上方から捨て楔を落とし込んでから楔留めされる。
【発明の効果】
【０００７】  以上のように本発明の格子組貫構造による耐力壁は、従来の貫構造と比較して、水平耐力を負担する仕口部が縦貫の数と横貫の数の乗数分増加するので、飛躍的に水平耐力が増加する。
【発明を実施するための最良の形態】
【０００８】  以下、本発明の実施の形態を図面に基づき詳細に説明する。【０００９】  図１〜図４は本発明の第１の実施の形態に係わり、図１はその格子組貫構造による耐力壁の出来上がり立面図、図２はその組付け途中の立面図、図３は縦貫の貫溝部分の外観斜視図、図４は図１のＡ位置での断面図である。但し、図１では図４記載の押さえ材８の記載を省略している。【００１０】  本発明の好適な施行方法は、図２に示すように、上棟後の横架材である梁４や土台５や図示していない桁の上下に貫通した貫穴１１に、図３に示すような横貫と交差する位置に設けられた貫溝７を持つ縦貫１を差し込む。次に図１に示すように、柱３の貫穴に横貫２を差し込み楔６にて楔留めする。このとき、横貫は縦貫の貫溝にも嵌め込まれる。それから図４に示すように、横貫２と縦貫１が面外に離間しないように、楔６が面外に外れないように、かつ縦貫が上下には動けるように押さえ材８にて釘留めしたうえ、横貫と縦貫を楔留めする。最後に、横架材に縦貫を楔留めする。【００１１】  図５は本発明の第２の実施の形態に係わる土台と縦貫との交差部の断面図である。このような場合、基礎側から楔を差し込めないため貫の拘束力やめり込み抵抗が不足する。この問題を解消するため、上方から捨て楔９を落とし込んでから楔留めする。なお、隙間１０は施工上の逃げである。
【実施例】
【００１２】  貫の寸法は例えば、横貫を巾１００ｍｍ、厚さ１５ｍｍとした場合、縦貫は巾１００ｍｍ、厚さ３０とし、貫溝の深さを１５ｍｍ、高さ１２０ｍｍ程度とする。【００１３】  貫の本数は好適には、横貫は３本〜５本、縦貫は２本〜３本程度とする。【００１４】  以上、本発明の実施の形態及び実施例を説明したが、本発明の範囲はこれに限定されるものではない。例えば、楔の形状はいわゆる楔形であるが、直方体の圧縮木材を貫穴に差し込み直ちに水分を与えることにより膨張させ楔効果を得ることも可能である。【００１５】  また、図４に示す押さえ材８は横貫等の端材を利用できるが、本耐力壁に肉付けされる壁材の種類によって適宜選択しても良い。例えば土壁の場合は小舞竹としたり、モルタル壁の場合はラス下地板としても良い。
【産業上の利用可能性】
【００１６】  本発明は木造建築の施工を行う産業分野で利用することが出来る。
【図面の簡単な説明】
【００１７】
【図１】格子組貫構造による耐力壁の出来上がり立面図
【図２】格子組貫構造による耐力壁の組付け途中の立面図
【図３】縦貫の貫溝部分の外観斜視図
【図４】図１のＡ位置での断面図
【図５】土台と貫との交差部の断面図
【符号の説明】
【００１８】    １        縦貫
２        横貫
３        柱
４        梁
５        土台
６        楔
７        縦貫の貫溝
８        押さえ材
９        捨て楔
１０        隙間
Ａ        図４の断面位置
【図１】
2007321547.tif 000003
【図２】
2007321547.tif 000004
【図３】
2007321547.tif 000005
【図４】
2007321547.tif 000006
【図５】
2007321547.tif 000007
(57)【要約】【課題】従来は、階段に台車レールを取付ける時は階段の寸法に合わせ現場で長短の加工工事で寸法を合わせる為、工事日数が２、３日要していた。工事の間階段が使用できず不便を感じていた。本発明は、この課題を解決する為になされたものである。【解決手段】階段の寸法に合わせた台車レールの加工工事を不要にする為、長短不揃いの階段にＣ型部材を組合せ、台車レールが階段の長さに合わせて伸縮しても台車の車輪がＣ型部材の外側及び内側レールに収納されているので脱輪する事がなく安全・安定走行が出来る台車走行レールを考案した。【選択図】図３
2007321549.tif 000002
【特許請求の範囲】
【請求項１】
長短不揃いの階段にＣ型状部材の組合せでレールの伸縮取付けを可能にし、台車の車輪が脱輪する事無く安定・安全に走行が出来、簡単自在にレールを組立、取付けができる台車走行レール。
【発明の詳細な説明】
【発明の詳細な説明】
【技術分野】
【０００１】本発明は、長短不揃いの階段にＣ型状部材の組合せでレールの伸縮取付を可能にし、台車の車輪が脱輪する事無く安定・安全に走行が出来、簡単自在にレールを組立、取付けができる台車走行レールである。
【背景技術】
【０００２】従来は、階段に台車レールを取付ける時は階段の寸法に合わせ現場で長短の加工工事で寸法を合わせる為、工事日数が２、３日要していた。
【発明が解決しようとする課題】
【０００３】従来は、階段に台車レールを取付ける時は階段の寸法に合わせ現場で長短の加工工事で寸法を合わせる為、工事日数が２、３日要していた。工事の間階段が使用できず不便を感じていた。本発明は、この課題を解決する為になされたものである。
【課題を解決する為の手段】
【０００４】階段の寸法に合わせた台車レールの加工工事を不要にする為、長短不揃いの階段にＣ型部材を組合せ、台車レールが階段の長さに合わせて伸縮しても台車の車輪がＣ型部材の外側及び内側レールに収納されているので脱輪する事がなく安全・安定走行が出来る台車走行レールを考案した。
【発明を実施するための最良の形態】
【０００５】以下は本発明の実施の形態について説明する。
図１のように階段にＣ型部材レール３とＣ型部材レール４の組合せレールを階段１の下から上までの寸法に伸縮させて、取付け固定する。台車２をＣ型部材３の上部より台車２の車輪がＣ型部材レール３の内側に差し込んで設置する。Ｃ型部材レール３の地点を台車１がＣ型部材レール３を通過する時は、台車２に内臓されている車輪５と車輪７がＣ型部材レールの内側にあり、その後Ｃ型部材レール４を通過する時は、車輪６と車輪８がＣ型部材レール４の内側にあるので、絶えず安全安定した台車２の走行が脱輪することがなくできる。
【発明の効果】
【０００６】階段の台車取付け工事の際の現場工事が不要の為、短時間で取付けが終了し階段の使用を早めることができるようになった。工事代金も１／３になった。
【図面の簡単な説明】
【０００７】
【図１】本発明のレールを縮めた時の側面図である。
【図２】本発明のレールを伸ばした時の側面図である。
【図３】本発明のレールを伸ばした時の正面図である。
【図４】台車の断面図である。
【図５】本発明のレールと台車の組合せ平面図である。
【図６】本発明のレールと台車の組合せ断面図である。
【図７】本発明のレールの断面図である。
【図８】本発明のレールの側面図である。
【図９】本発明のレールの断面図である。
【図１０】本発明のレールの側面図である。
【図１１】本発明のレールの断面図である。
【図１２】本発明のレールの側面図である。
【図１３】本発明のレールの断面図である。
【図１４】本発明のレールの側面図である。
【符号の説明】
【０００８】１．  階段
２．  車輪を内臓した台車
３．  Ｃ型部材レール
４．  Ｃ型部材レール
５．  車輪
６．  車輪
７．  車輪
８．  車輪
【図１】
2007321549.tif 000003
【図２】
2007321549.tif 000004
【図３】
2007321549.tif 000005
【図４】
2007321549.tif 000006
【図５】
2007321549.tif 000007
【図６】
2007321549.tif 000008
【図７】
2007321549.tif 000009
【図８】
2007321549.tif 000010
【図９】
2007321549.tif 000011
【図１０】
2007321549.tif 000012
【図１１】
2007321549.tif 000013
【図１２】
2007321549.tif 000014
【図１３】
2007321549.tif 000015
【図１４】
2007321549.tif 000016
(57)【要約】【課題】チャイルドロックの使い勝手を向上させることができるチャイルドロック装置を提供する。【解決手段】チャイルドロック装置は、コントロールユニット１と、チャイルドロックスイッチ２と、サイドブレーキスイッチ３と、ドア６に設けられたチャイルドロック４を備える。ドア６に設けられたチャイルドロック４にはソレノイドスイッチ５が接続され、サイドブレーキスイッチ３のオン動作の信号がコントロールユニット１を介して伝達され、チャイルドロック４を解除する。【選択図】  図１
2007321491.tif 000002
【特許請求の範囲】
【請求項１】
サイドブレーキのロック動作に連動してチャイルドロックを解錠することを特徴とする車両のチャイルドロック装置。
【発明の詳細な説明】
【技術分野】
【０００１】
本発明は、車両の走行中に助手席あるいは後部座席に乗った子供が誤ってドアを開けることを防止するチャイルドロック装置に関する。
【背景技術】
【０００２】
車両の助手席あるいは後部座席に子供を乗車させた場合、車両の走行中に、その子供によりドアインナーハンドルが操作されて、ドアが不用意に開くのを防止するため、ドアインナーハンドルの操作状態に関係なく、車内側からはドアを開けることを不能としたチャイルドロック装置が用いられている。
【０００３】
このチャイルドロック装置は、一般に、助手席ドアあるいは後部座席ドアの内側に設置されたドアロック用ノブとは別に、チャイルドロック機能をオン／オフするためのリリースレバーを設け、このリリースレバーの操作により、ドアロック用ノブによるアンロック（解錠）操作と、ドアのインナーハンドルによるドア開操作とを機械的に無効にし、ドアの外側のアウターハンドルの操作によってしかドアを開けることができないようにしている（例えば、特許文献１参照。）。
【０００４】
ところが、チャイルドロックをロック解除し忘れたままドアから乗車した場合、一旦そのドアを閉じてしまうと、そのドアを車室内から開けることができない。このため、チャイルドロックを解除するためには、例えばチャイルドロックがロック設定されていない他のドアから車外に出る等して、外部からドアを開けてリリースレバー等のメカスイッチを操作しなければならないという不便さがあった。すなわち、チャイルドロックの設定または解除操作を行うためのチャイルドレバーがドアの車体側端面に設けられているため、ドアを開けないとその操作を行うことができず、チャイルドロックの設定または設定の解除には手間がかかるという問題があった。
【０００５】
そこで、運転席側のドアを除く全てのドアに、ドアをチャイルドロックできるドアロックアクチュエータを備え、コントロールユニットが車速信号発生器からの車速信号に基づいて車両が走行中か否かを判断し、走行中である場合、ドアロックアクチュエータを制御してドアをチャイルドロックさせ、車両が走行停止した場合チャイルドロックを解除する装置等が提案されている（特許文献２参照。）。
【０００６】
【特許文献１】特公平５−６１４３０号公報
【特許文献２】特開２００５−１６３３９７号公報
【発明の開示】
【発明が解決しようとする課題】
【０００７】
しかしながら、運転者にとっては助手席あるいは後部座席に搭乗している乗員（大人、子供）に応じて、チャイルドロック制御スイッチをその都度切り替える操作、あるいはその都度エンジンを停止させるのも不合理であり、例えば、助手席あるいは後部座席の乗員が頻繁に入れ替わる場合には、運転者にとっては煩わしい操作が必要になる。
本発明は、このような従来技術の問題点に鑑みなされたものであり、チャイルドロックの使い勝手を向上させることができるチャイルドロック装置を提供することを目的とする。
【課題を解決するための手段】
【０００８】
そこで、本発明の車両のチャイルドロック装置は、サイドブレーキのロック動作に連動してチャイルドロックを解錠することを特徴とする。
【発明の効果】
【０００９】
本発明によれば、サイドブレーキをかけると自動的にチャイルドロックが解除されるので、ドアを車室内から開けることができ、チャイルドロックの使い勝手が良くなるという優れた効果がある。
【発明を実施するための最良の形態】
【００１０】
次に、本発明の実施の形態を図面に示す実施例に基づいて説明する。
図１は本発明に係るチャイルドロック装置の構成を示すブロック図である。
【実施例】
【００１１】
本発明に係るチャイルドロック装置は、コントロールユニット１と、チャイルドロックスイッチ２と、サイドブレーキスイッチ３と、ドア６に設けられたチャイルドロック４を備えている。
【００１２】
コントロールユニット１は、１２Ｖバッテリー８からの電源供給で動作するもので、バテッリー８とコントロールユニット１の間にヒューズ７を介してイグニッションスイッチ（図示せず）が接続され、イグニッションスイッチがオン状態のとき、コントロールユニット１に高電位が印加され、オフ状態のときには、低電位が印加され、電位の高低によってコントロールユニット１がイグニッションスイッチの状態を認識するようにされている。
【００１３】
チャイルドロックスイッチ２は、運転者によって操作できるように運転席側に設置される。チャイルドロックスイッチ２の操作によって、ドア６に設けられたチャイルドロック４を施錠または解錠することができるようになっている。チャイルドロックスイッチ２の操作状態は電位の高低を示す電気信号によってコントロールユニット１に伝達される。
【００１４】
ドア６に設けられたチャイルドロック４には、ソレノイドスイッチ５が接続され、サイドブレーキスイッチ３のオン動作の信号がコントロールユニット１を介して伝達され、チャイルドロック４を解錠するようにされている。すなわち、サイドブレーキがロック動作されるのに連動してチャイルドロック４が解錠される。そして、再度、サイドブレーキがオフ動作されると、チャイルドロック４が施錠されるようになっている。
【００１５】
以上の構成により、本発明によれば、チャイルドロックを解除するために、例えばチャイルドロックがロック設定されていない他のドアから車外に出る等して、外部からドアを開けてリリースレバー等のメカスイッチを操作する必要もなく、その都度エンジンを停止させる必要もなく、チャイルドロックの設定及び解除に手間を要さない。
【図面の簡単な説明】
【００１６】
【図１】本発明に係るチャイルドロック装置の構成を示すブロック図である。
【符号の説明】
【００１７】
１      コントロールユニット
２      チャイルドロックスイッチ
３      サイドブレーキスイッチ
４      チャイルドロック
５      ソレノイドスイッチ
６      ドア
７      ヒューズ
８      電源
【図１】
2007321491.tif 000003
(57)【要約】【課題】      自分の好きな場所や風景・イラスト・製図等が簡単に練習上達できるようにすること。【解決手段】  描きたい風景やイラスト・写真・図面等を取込み、描く盤に投射や映し出す等したものの上からなぞる・色をつける・模写する・加工などをする。【選択図】        図２
2007065603.tif 000002
【特許請求の範囲】
【請求項１】
描きたいイラストや写真・図面・風景等を取込み、描く盤に投射や映し出す等したものの上からなぞる・色をつける・模写する・加工などをする方法。
【請求項２】
絵やイラスト・製図などの描き方や順番などを動画などの画像等で順番に指導することも出来るようにする方法。
【請求項３】
〔請求項１〕・〔請求項２〕を実施するための機器・器材。
【請求項４】
〔請求項１〕・〔請求項２〕を実施するためのソフト。
【請求項５】
〔請求項１〕・〔請求項２〕を実施するための指導や教室運営
【発明の詳細な説明】
【技術分野】
【０００１】本発明は、絵画・イラスト・製図等が簡易に練習上達できる機器および方法に関する。
【背景技術】
【０００２】  これまで、初心者等が絵画やイラストを描いたり、製図を書く際に実物大の塗り絵やテンプレートなどの上をなぞったりして練習をしてきた。【０００３】  最近では上記ための各種イラスト絵・テンプレートが発売されている。【０００４】  また、パソコン等でもお絵かきソフト・ＣＡＤソフトおよびその指導書や上達本などがある。【０００５】  しかし、上からなぞるテンプレートではその絵やイラストのテンプレートが実物大でなければならず何枚も保存する必要がある。【０００６】  さらにパソコン等のお絵かきソフトでは目の前の風景等を描く練習は難しい。
【特許文献１】    実用新案公開  平９−４３  絵画用テンプレート
【特許文献２】    特許公開  ２００３−２９６１９  語学練習機
【特許文献３】    特許公開  ２０００−２６３９９９  絵画の描写技法
【特許文献４】    特許公開  ２００１−２３９７９９  カラー転写シートの製造方法
【特許文献５】    特許公開  Ｈ１１−１６５５００  写真の表面に油絵の具で絵を描く絵画の制作方法
【特許文献６】    実用新案公開  Ｈ６−２４９９１  構図見当器
【発明の開示】
【発明が解決しようとする課題】
【０００７】  解決しようとする問題点は従来の実物テンプレートを多数保存しなくとも自分の好きな場所や風景・イラストが簡単に絵画・イラスト・製図等練習上達できるようにする。
【課題を解決するための手段】
【０００８】  上記目的を達成するために、本発明の方法においては描きたいイラストや写真・図面を取込み、描く盤に投射や映し出す等したものの上からなぞる・色をつける・模写する・加工などをする。【０００９】  また、風景等を描く場合にはレンズ等にてその風景を取込み描く盤に投射や映し出す等したものの上からなぞる・色をつける・模写する・加工などをする。【００１０】  さらに、途中で作業を中断するときはその描きたいイラストや写真・図面やレンズ等にて取込んだ風景をその機器内および外部機器に画像等でファイル保存・開き・編集等できるようにする。【００１１】  そして、これまでのパソコン等でのお絵かきソフト・ＣＡＤソフトを使用したときと同様に製作途中の絵画やイラスト・製図なども機器内および外部機器にファイル保存・開き・編集等できるようにする。【００１２】  さらに、絵やイラスト・製図などの描き方や順番などを動画などの画像等で順番に指導することも出来るようにする。【００１３】  またそれにより習字などの文字練習をはじめ外国語等の学習も可能とし、音声や動画等を織り込むことでより学習効果が発揮できるようにする。
【発明の効果】
【００１４】  自分の好きな場所や風景・イラスト・製図等が簡単に絵画・イラスト・製図等練習上達でき、絵画等の興味がわき文化活動・青少年の育成に役立つ。
【発明の実施するための最良の形態】
【００１５】  描きたいイラストや写真・図面・風景等を取込み、描く盤に投射や映し出す等したものの上からなぞる・色をつける・模写する・加工などをする。
【実施例】
【００１６】  写真をパソコンと連動したデジタルカメラで写し、その画像をパソコン上に映し出し、その画面に重ねた透けた用紙上に該当写真の外観や色を真似て描いたところ写真を見ただけでは難しかった絵をかくことが出来た。【００１７】  風景をパソコンと連動したデジタルカメラで写し、その画像をパソコン上に映し出し、お絵かきソフトでその写真を模写することができた。
【産業上の利用可能性】
【００１８】  自分の好きな場所や風景・イラスト・製図等が簡単に絵画・イラスト・製図等練習上達でき、絵画等の興味がわき文化活動・青少年の育成に役立つ。
【図面の簡単な説明】
【００１９】
【図１】  写真を取込みその画像等を描く盤に投射や映し出す等したものの上からなぞる・色をつける・模写する・加工などをする図である。
【図２】  本考案を実行するための概略図である。
【符号の説明】
【００２０】    １  写真
２  考案機器
３  取り込み用機能機器
４  機器操作盤
５  描く盤
６  画面に重ねた用紙
７  描いた絵
【図１】
2007065603.tif 000003
【図２】
2007065603.tif 000004